(57)【要約】【課題】  嵌め殺し窓に可及的に簡易な構造にして確実且つ外観よくパネルの固定を行なうパネル固定装置を提供する。【解決手段】  無目１の上枠１１と無目材１２の凹溝１３に、先付部材３をスナップイン状に係止して、先付部材３に嵌着した先付ビート４と後付した後付ビート５によって透明パネル６を挟持して、その固定を行なう。先付部材３はアルミ押出材によって形成し、無目１から起立した起立壁３１に先付ビート４の受条３２を、パネル６の厚さ分離れた位置の凹溝１３内に後付ビート５の受条３７をそれぞれ配置して安定且確実なビート４、５の支持を行なう。起立壁３１の起立高さを後付ビート５の高さと同等として透明パネル６を介した外観を良好にする。【選択図】  図１
2010236219.tif 000002
【特許請求の範囲】
【請求項１】
開口枠に形成した凹溝に嵌合固定して該開口枠に先行配置した先付部材と、該先付部材の起立壁にビート基部を嵌着してその内側に突出配置した先付ビートと、該先付ビートと対面して開口枠に後付配置することによって先付ビートとパネルを挟持した後付ビートを備えてなることを特徴とするパネル固定装置。
【請求項２】
上記先付部材を、上記起立壁と、該起立壁の内側に配置した断面Ｃ字状の先付ビート受条と、該先付ビート受条からパネル厚さ分離れた内側に開口枠凹溝側に凹陥して配置した後付ビート受条を備えて、押出成形した押出材によって形成してなることを特徴とする請求項１に記載のパネル固定装置。
【請求項３】
上記先付部材の上記開口枠の凹溝への嵌合固定を、上記起立壁下位と後付ビート受条先端に配置した係止条を開口枠の凹溝に形成した係止条にスナップイン係止することによって行ってなることを特徴とする請求項１又は２に記載のパネル固定装置。
【請求項４】
上記先付部材の起立壁を後付ビートの高さと同等乃至これより高くしてなることを特徴とする請求項１、２又は３に記載のパネル固定装置。
【発明の詳細な説明】
【技術分野】
【０００１】
本発明は、建物開口の窓乃至これに設置した建具にパネルを嵌着するに用いるパネル固定装置に関する。
【背景技術】
【０００２】
この種のパネル嵌着は、例えば、窓枠や建具框枠の開口枠外側における一体の立上り壁にビート基部を嵌着してその内側に突出配置した外側ビートと、該外側ビートと対面して開口枠に後付配置することによって上記外側ビートとパネルを挟持した内側ビートを一体成形した押縁材とを備えたものとされ、このとき開口枠は、例えば框組みした樹脂サッシとし、また内側ビートを一体成形した押縁材も樹脂製のものとされている。
【先行技術文献】
【特許文献】
【０００３】
【特許文献１】特開平５−２０９４８１号公報
【発明の概要】
【発明が解決しようとする課題】
【０００４】
この場合、開口枠にパネルを確実に固定することができるが、開口枠が立上り壁を一体に備えているため、該開口枠の断面が複雑化するとともに開口枠から立上がり壁が突出するため搬送や取付けに際して、該立上り壁が変形するといったトラブルを招き易く、例えば屋外構築物の窓を設置する場合には、該立上り壁が物体に衝接することによる変形トラブルの可能性が増大する。また、押縁材はビートを一体成形したものとされるところ、開口枠をアルミ押出材とする場合にビートを一体成形することはできないから、アルミ製の窓として上記構造のものを使用することができないことになる。
【０００５】
本発明はかかる事情に鑑みてなされたもので、その解決課題とするところは、可及的に簡易な構造にして確実且つ外観よくパネルの固定をなし得るとともに屋外構築物やアルミ製の窓に用い得るようにしたパネル固定装置を提供するにある。
【課題を解決するための手段】
【０００６】
上記課題に沿って本発明は、開口枠に対して先行配置する先付部材と、この先付部材に配置した先付ビートと、この先付ビートとともにパネルを挟持する後付ビートを用いてパネルの固定をなし得るようにしたものであって、即ち、請求項１に記載の発明を、開口枠に形成した凹溝に嵌合固定して該開口枠に先行配置した先付部材と、該先付部材の起立壁にビート基部を嵌着してその内側に突出配置した先付ビートと、該先付ビートと対面して開口枠に後付配置することによって先付ビートとパネルを挟持した後付ビートを備えてなることを特徴とするパネル固定装置としたものである。
【０００７】
請求項２に記載の発明は、上記に加えて、先付部材に先付ビート及び後付ビートの双方の受条を備えた押出材によって形成して、これらビートの保持と該これらビートによるパネルの挟持を安定且つ確実になし得るものとするように、これを、上記先付部材を、上記起立壁と、該起立壁の内側に配置した断面Ｃ字状の先付ビート受条と、該先付ビート受条からパネル厚さ分離れた内側に開口枠凹溝側に凹陥して配置した後付ビート受条を備えて、押出成形した押出材によって形成してなることを特徴とする請求項１に記載のパネル固定装置としたものである。
【０００８】
請求項３に記載の発明は、同じく上記に加えて、先付部材の開口枠凹溝への嵌合固定を可及的容易且つ確実になし得るものとするように、これを、上記先付部材の上記開口枠の凹溝への嵌合固定を、上記起立壁下位と後付ビート受条先端に配置した係止条を開口枠の凹溝に形成した係止条にスナップイン係止することによって行ってなることを特徴とする請求項１又は２に記載のパネル固定装置としたものである。
【０００９】
請求項４に記載の発明は、同じく上記に加えて、先付部材の起立壁によって後付ビートの面内露出を可及的に抑制して、パネル固定の外観を可及的に良好とするように、これを、上記先付部材の起立壁を後付ビートの高さと同等乃至これより高くしてなることを特徴とする請求項１、２又は３に記載のパネル固定装置としたものである。
【００１０】
本発明はこれらをそれぞれ発明の要旨として上記課題解決の手段としたものである。
【発明の効果】
【００１１】
本発明は以上のとおりに構成したから、請求項１に記載の発明は、開口枠に対して先行配置する先付部材と、この先付部材に配置した先付ビートと、この先付ビートとともにパネルを挟持する後付ビートを用いてパネルの固定をなし得るようにして、可及的に簡易な構造にして確実且つ外観よくパネルの固定をなし得るとともに屋外構築物やアルミ製の窓に用い得るようにしたパネル固定装置を提供することができる。
【００１２】
請求項２に記載の発明は、上記に加えて、先付部材に先付ビート及び後付ビートの双方の受条を備えた押出材によって形成して、これらビートの保持と該これらビートによるパネルの挟持を安定且つ確実になし得るものとすることができる。
【００１３】
請求項３に記載の発明は、同じく上記に加えて、先付部材の開口枠凹溝への嵌合固定を可及的容易且つ確実になし得るものとすることができる。
【００１４】
請求項４に記載の発明は、同じく上記に加えて、先付部材の起立壁によって後付ビートの面内露出を可及的に抑制して、パネル固定の外観を可及的に良好とすることができる。
【図面の簡単な説明】
【００１５】
【図１】パネル固定の状態を示す無目部分の縦断面図である。
【図２】パネル固定の状態を示す縦枠部分の横断面図である。
【図３】図１における要部の分解縦断面図である。
【発明を実施するための形態】
【００１６】
以下図面の例に従って本発明を更に具体的に説明すれば、図中１は、例えば、門周りの門袖、サンルーム、テラス等の窓の開口枠をなすように、上枠１１に無目材１２を一体化して形成した無目、２は縦枠であり、該無目１及び縦枠２は、上記上枠１１と同一断面形状の無目１と対向する図示省略の上枠、上記上枠１１と対向する下枠とともに上下２段に枠組みすることによって、これら無目１、縦枠２、図示省略の上枠、下枠の各開口枠によって嵌め殺し窓の窓枠を形成してあり、該窓枠には、上記無目１を挟んでその上下にパネル６、例えばポリカーボネート、アクリル等の透明樹脂パネルを固定して、上記屋外構築物の嵌め殺し窓をなすものとしてある。
【００１７】
このとき、無目１は、該無目１に形成した凹溝１３に嵌合固定して該無目１に先行配置した先付部材３と、該先付部材３の起立壁３１にビート基部４１を嵌着してその内側に突出配置した先付ビート４と、該先付ビート４と対面して上記無目１に後付配置することによって先付ビート４とパネル６を挟持した後付ビート５を備えたものとしてあり、本例にあって上記先付部材３は、上記起立壁３１と、該起立壁３１の内側に配置した断面Ｃ字状の先付ビート受条３２と、該先付ビート受条３２からパネル厚さ分離れた内側に開口枠、即ち無目１の凹溝１３側に凹陥して配置した後付ビート受条３７を備えて、押出成形した押出材によって形成したものとし、また、本例にあって、該先付部材３の上記無目１の凹溝１３への嵌合固定を、上記起立壁３１下位と後付ビート受条３７先端に配置した係止条３４、３８を無目１の凹溝１３に形成した係止条１４にスナップイン係止することによって行ったものとしてある。
【００１８】
本例にあって無目１の凹溝１３、即ち、上枠１１の下面及び無目材１２上面の各凹溝は、何れも溝開口端部に対向する突条による係止条１４を備えて、上記先付部材３を受入れ自在としてあり、このとき係止条１４は、先付部材３との間でスナップイン一方のものとして、スナップイン他方の上記起立壁３１下位と後付ビート受条３７の係止条３８とのスナップイン係止によって該先付部材３を嵌合固定するものとしてある。
【００１９】
即ち、先付部材３は、上記上枠１１及び無目材１２に共通に使用するものとして、本例にあって、例えば無目１に対して直交するように該無目１、即ち上枠１１及び無目材１２から起立した上記起立壁３１と、その内側の内側に開口した上記断面Ｃ字状の先付ビート受条３２と、起立壁３１乃至先付ビート受条３２から凹溝１３側に突出して、その突出方向中間に、上記凹溝１３の一方、即ち、外側の上記突条の係止条１４を受ける細溝の溝条とした係止条３４を配置した脚条３３と、上記先付ビート受条３２からやや段差をなして内側に突出したパネル受条３５と、該パネル受条３５の先端突条３６を残して該パネル受条３５の下面から突出して後付ビート５を受入れ自在の形状、本例にあってはやや転倒した断面Ｃ字状溝をなす後付ビート受条３７と、該後付ビート受条３７の先端を溝方向に突出して、上記凹溝１３の他方、即ち、内側の上記突条の係止条１４に、その下面において弾発的に圧接して係止する折返しの係止条３８を備えて、押出成形したアルミ押出材によるものとしてある。
【００２０】
このように形成した先付部材３は、例えば、断面倒Ｔ字状のビート基部４１を長手方向端部からスライド嵌合することによって、予め先付ビート４を嵌着して、該先付ビート４を備えた先付部材３を、上記無目１の上下面、即ち上枠１１と無目材１２の凹溝１３に対して、該先付部材３の脚条３３と後付ビート受条３７を圧入するように嵌合し、双方の係止条１４、３４、３８をそれぞれスナップイン状に係止して、該凹溝１３に先行配置し、該先付ビート４を嵌着した先付部材３の配置後にパネル６を嵌め込んで、上記パネル受条３５に上記パネル６の端部を対接し、その後に、後付ビート５を上枠１１及び無目材１２の内側の空隙から後付ビート受条３７に圧入するように後付配置して、その内外面に形成した嵌着溝５１に、先付部材３におけるパネル受条の先端突条３６と開口溝１３の突条及び先付部材３の折返しの係止条３８を受入れるように係止することによって、先付部材３の先付ビート４と後付ビート５間に上記パネル６を挟持し、その固定を行なうようにしてある。これによって、上枠１１及び無目材１２に対する先付部材３、パネル６及び後付ビート５の設置作業は、いずれも上記窓の開口枠における内側から、これを行なうことができるようにしてある。
【００２１】
このとき本例の先付部材３は、その無目１に直交して起立した起立壁３１を、後付ビート５の高さと同等乃至これより高く、本例にあっては同等としてあり、これによって本例にあってパネル６を上記透明樹脂パネルとしたことによって、該パネル６を介して後付ビート５が外側に露見することによる外観不良を解消したものとしてある。
【００２２】
一方、縦枠２は、該縦枠２に形成した凹溝に嵌入した、断面Ｌ字状と断面ブロック状２種のビート２１、２２を用いて、上記パネル６の幅方向両端を挟持するとともに該ビート２１、２２が縦枠２から面内に露出しないように該縦枠２と面一に配置してあり、このときビート２１、２２は、上記上枠１１及び無目材１２における先付部材３、後付ビート５の設置作業に合せて、これと同様に、ビート２１、パネル６、ビート２２の順に、いずれも窓の開口枠の内側から、その装着を行なうようにしてある。
【００２３】
このように縦枠２に面一にパネル６を配置した本例の嵌め殺し窓にあっては、パネル６は、これを、上記無目１乃至図示省略の上枠及び下枠に先付部材３を装着する前に該縦枠２の凹溝にパネル６を慳貪状に嵌めて上記２種のビート２１、２２によって固定した後に、無目１、上記図示省略の上枠及び下枠に先付部材３、先付ビート４及び後付ビート５による固定を行なうようにすればよく、従って、本例の嵌め殺し窓は、無目１乃至図示省略の上枠及び下枠にあってその上記先付部材３の起立壁３１と、縦枠２が面内を区画するように連続して、好ましいパネル納まりと良好な外観を呈するものとしてある。
【００２４】
図示した例は以上のとおりとしたが、パネル固定を建具、特に引違戸、開き戸、シャッター等に適用し、また、例えばドア、間仕切り等の窓に適用することを含めて、本発明の実施に当って、開口枠、先付部材、先付ビート、後付ビートの各具体的構造、形状、材質、これらの関係、これらに対する付加等は上記発明の要旨に反しない限り様々な形態とすることができる。
【符号の説明】
【００２５】
１  無目
１１  上枠
１２  無目材
１３  凹溝
１４  係止条
２  縦枠
２１  ビート
２２  ビート
３  先付部材
３１  起立壁
３２  先付ビート受条
３３  脚条
３４  係止条
３５  パネル受条
３６  先端突条
３７  後付ビート受条
３８  折返しの係止条
４  先付ビート
４１  ビート基部
５  後付ビート
５１  嵌着溝
６  パネル
【図１】
2010236219.tif 000003
【図２】
2010236219.tif 000004
【図３】
2010236219.tif 000005